(57)【要約】【課題】装置筐体に関し、スパッタ等の噛み込みを完全に防止することを目的とする。【解決手段】筐体本体部１の底壁に雄ネジ部２を螺合して装着されるレベルフット３を備えた装置筐体であって、  前記筐体本体部１内であって、レベルフット３の進入基端には、雄ネジ部２が貫通するネジ挿通孔４を備えた可撓性を有する薄板体５が固定され、  かつ、ネジ挿通孔４は雄ネジ部２の呼び径より小径に形成されてネジ山面に圧接するように構成する。【選択図】  図２
2006269904.tif 000002
【特許請求の範囲】
【請求項１】
筐体本体部の底壁に雄ネジ部を螺合して装着されるレベルフットを備えた装置筐体であって、
前記筐体本体部内であって、レベルフットの進入基端には、雄ネジ部が貫通するネジ挿通孔を備えた可撓性を有する薄板体が固定され、
かつ、ネジ挿通孔は雄ネジ部の呼び径より小径に形成されてネジ山面に圧接する装置筐体。
【請求項２】
前記薄板体が合成樹脂製シートにより形成される請求項１記載の装置筐体。
【請求項３】
前記薄板体は板金により形成され、ネジ挿通孔の周縁には放射状に適数の切り込みが設けられる請求項１記載の装置筐体。
【発明の詳細な説明】
【技術分野】
【０００１】
本発明は、装置筐体に関するものである。
【背景技術】
【０００２】
設置床面からの設置高さを可変にするために、底壁にレベルフットを装着した装置筐体としては、特許文献１に記載のものが知られている。この従来例において、レベルフットを構成する軸部には調整ネジが形成され、装置フレーム（筐体本体部）にねじ込まれる。軸部を水平回転させると、軸部は筐体本体部から進退し、筐体本体部の設置高さが調整される。
【特許文献１】特開平６-２７３８号公報
【発明の開示】
【発明が解決しようとする課題】
【０００３】
しかし、上述した従来例において、軸部の上端は筐体本体部内に飛び出しているために、筐体本体部の製造時に発生し、製造後の清掃で取りきれなかった溶接スパッタ等が搬送時等に移動し、筐体本体部と調整ネジとの隙間に落ち込むことがある。
【０００４】
落ち込んだスパッタ等は、調整ネジの調整操作に伴ってネジ山間に挟まるために、以後、調整ネジへの螺合操作が不可能となり、設置高さ調整が全くできなくなる。
【０００５】
本発明は、以上の欠点を解消すべくなされたものであって、スパッタ等の噛み込みを完全に防止できる装置筐体の提供を目的とする。
【課題を解決するための手段】
【０００６】
装置筐体は、筐体本体部１の底壁にレベルフット３を装着して形成される。レベルフット３の筐体本体部１からの飛び出し寸法を調整可能とするために、レベルフット３には雄ネジ部２が形成されており、筐体本体部１にねじ込まれる。
【０００７】
薄板体５は全体として可撓性を有するように板厚、材質が決定され、中央部にネジ挿通孔４が開設される。この薄板体５は、筐体本体部１の底壁面、すなわち、レベルフット３の筐体本体部１への進入基端に固定され、レベルフット３は、薄板体５のネジ挿通孔４を貫通して筐体本体部１外に突出する。
【０００８】
上記ネジ挿通孔４は、雄ネジ部２の呼び径より小径に形成されており、レベルフット３の雄ネジ部２がねじ込まれると、ネジ挿通孔４の内周縁は雌ネジ部７ａとの噛合領域に侵入してネジ山面に圧接する。ネジ挿通孔４の内周縁がネジ山面に圧接する結果、筐体本体部１側の雌ネジ部７ａとレベルフット３の雄ネジ部２との間の隙間は、筐体本体部１内側から完全に閉塞されることとなり、筐体本体部１内に溶接スパッタ等が残留していても、ネジに噛み込むことがなくなる。
【発明の効果】
【０００９】
本発明によれば、スパッタ等の噛み込みを完全に防止することができる。
【発明を実施するための最良の形態】
【００１０】
図１に現金取引装置として構成された本発明の実施の形態を示す。現金取引装置は、必要な処理系を収容する筐体本体部１内の底壁からレベルフット３を突設して形成される。
【００１１】
筐体本体部１は底壁に接合されるチャンネル材８により補強され、このチャンネル材８の裏面にナット７が溶着される。チャンネル材８には、ナット７の雌ネジ部７ａに連通する透孔８ａが穿孔されるとともに（図３（ｂ）参照）、透孔８ａの上方で、筐体本体部１の底壁面には円形の開口１ａが開設される。
【００１２】
図２に示すように、レベルフット３は、下端に接地フランジ３ａを備えた杆体であり、上部に形成される雄ネジ部２を上記ナット７にねじ込んで筐体本体部１に装着される。接地フランジ３ａの上部には、レベルフット３に回転操作力を与えるためのナット３ｂが一体形成される。
【００１３】
雄ネジ部２をナット部７ａにねじ込んだ状態でレベルフット３を水平回転させると、図２（ａ）、（ｄ）に示すように筐体本体部１からの突出距離が変化し、設置床面９からの筐体本体部１の設置高さが調整される。図２（ｄ）に示すように、突出距離を小さくした場合には、レベルフット３の上端部は上記円形の開口１ａから筐体本体部１内に収容される。
【００１４】
５は合成樹脂材をシート状に成形した薄板体を示す。この薄板体５は、図２に示すように、チャンネル材８の上面、すなわち、筐体本体部１内方側の壁面に固定される。固定方法は、適宜の周知手段によることができるが、この実施の形態においては、図３（ａ）に示すように、裏面周縁に貼り付けた粘着テープ５ａが使用される。
【００１５】
上記薄板体５の中央部には、雄ネジ部２を貫通させるためのネジ挿通孔４が設けられる。ネジ挿通孔４は雄ネジ部２の呼び径より小径に形成されており、雄ネジ部２を押し込むと、ネジ挿通孔４の周囲が一旦弾性的に変形し、雄ネジ部２を受容する。この状態からレベルフット３を回転させると、薄板体５のネジ挿通孔４の周縁は雄ネジ部２のネジ山の上下動に追随する。
【００１６】
図３（ｂ）にレベルフット３引き込み方向の回転に対して薄板体５のネジ挿通孔４の周縁が上方に反り返った状態を、図３（ｃ）にレベルフット３飛び出し方向の操作に対し下方に屈曲した状態を各々示す。これら薄板体５の変形は、弾性変形域内で行われているために、ネジ挿通孔４の周縁部には弾性復元力が発生し、結果、ネジ山面に圧接する。
【００１７】
図示の状態からさらに雄ネジ部２をねじ込むと、やがてネジ挿通孔４の周縁部は対応するネジ山との当接状態から離脱し、弾性復元力により隣接するネジ山に落ち込み、あるいは跳ね上げられ、再びネジ山面との圧接状態が維持される。
【００１８】
したがってこの実施の形態において、薄板体５のネジ挿通孔４周縁が、常に雄ネジ部２のネジ山面に圧接しているために、ナット７の雌ネジ部７ａと、レベルフット３の雄ネジ部２との間の隙間は筐体本体部１の内側から完全に閉塞される。このため、筐体本体部１内に溶接スパッタ等が残っていても、上記隙間に落ち込むことがなく、ネジ噛み込みによる作動不良を防止できる。
【００１９】
なお、以上において薄板体５は、合成樹脂製のシートにより形成される場合を示したが、板金等の薄板材により形成することができる。材料自体の延び変形能が劣る場合には、図３（ｄ）に示すように、ネジ挿通孔４の周縁に適数の切り込み６が設けられる。この薄板体５に雄ネジ部２を通過させると、切り込み６間に形成される各片５ｂ、５ｂ・・が片持梁状に弾性変形し、ネジ山に追随する。
【００２０】
このように、薄板体５を板金で製する場合には、チャンネル材８への固定は、スポット溶接によることが可能であり、製造が容易で、固定強度も高くなる。
【図面の簡単な説明】
【００２１】
【図１】本発明を示す図で、（ａ）は現金取引装置の斜視図、（ｂ）は（ａ）の１Ｂ方向矢視図、（ｃ）は（ｂ）の１Ｃ方向矢視図である。
【図２】レベルフットを示す図で、（ａ）は図１（ｃ）の２Ａ-２Ａ線断面図、（ｂ）は図２（ａ）の２Ｂ-２Ｂ線断面図、（ｃ）は図２（ａ）の２Ｃ-２Ｃ線断面図、（ｄ）はレベルフットの飛び出し寸法を小さくした場合を示す図２（ａ）に対応する図である。
【図３】薄板体を示す図で、（ａ）は裏面図、（ｂ）は薄板体の変形状態を示す要部拡大断面図、（ｃ）は反対方向に変形した状態を示す要部拡大断面図、（ｄ）は薄板体の変形例を示す平面図である。
【符号の説明】
【００２２】
１        筐体本体部
２        雄ネジ部
３        レベルフット
４        ネジ挿通孔
５        薄板体
６        切り込み
【図１】
2006269904.tif 000003
【図２】
2006269904.tif 000004
【図３】
2006269904.tif 000005